(57)【要約】【課題】防犯性、耐火性を向上させることができる二軸蝶番の構造を提供する。【解決手段】二軸蝶番の構造において、扉１１と扉枠１５とに横架される連結杆２９と、連結杆２９を上下に貫通する第１軸３１と第２軸３３と、第１軸３１と第２軸３３のそれぞれの上下を、扉枠１５と扉１１のそれぞれに回転自在に支持するブロック状の二対の軸受体３５と、扉１１と扉枠１５の閉扉時において隣り合う各取付面１６，１２に軸受体３５を螺着する六角穴付ボルト３７と、上下一対の軸受体３５の正面４１に露出する六角穴付ボルト３７を覆う上側覆い部５５及び下側覆い部５７を有するとともに、連結杆２９の裏側に位置する接続板５９で接続された金属製のカバー４３と、閉扉時における扉１１側と扉枠１５側の各軸受体３５の対向面３６に対し、扉枠１５側と扉１１側の各カバー４３の閉扉時対向面５１から螺合して、カバー４３を軸受体３５に螺着する取付部材５３と、を具備する。【選択図】  図５
2015025274.tif 000002
【特許請求の範囲】
【請求項１】
扉と扉枠とに横架される連結杆と、
前記扉枠側における前記連結杆を上下に貫通する第１軸と、
前記扉側における前記連結杆を上下に貫通する第２軸と、
前記第１軸と前記第２軸のそれぞれの上下を、前記扉枠と前記扉のそれぞれに回転自在に支持するブロック状の二対の軸受体と、
扉面に垂直方向から前記軸受体を貫通して前記扉と前記扉枠の閉扉時において隣り合う各取付面に前記軸受体を螺着する締結部材と、
各軸ごとにおける上下一対の前記軸受体の正面に露出する前記締結部材を覆う上側覆い部及び下側覆い部を有するとともに、該上側覆い部及び下側覆い部が前記連結杆の裏側に位置する接続板で接続された金属製のカバーと、
閉扉時における前記扉側の前記軸受体と前記扉枠側の前記軸受体との対向面に対し、前記扉枠側の前記カバーと扉側の前記カバーの閉扉時対向面から螺合して、前記カバーを前記軸受体に螺着する取付ネジと、
を具備することを特徴とする二軸蝶番の構造。
【請求項２】
請求項１記載の二軸蝶番の構造であって、
前記上側覆い部及び前記下側覆い部が、前記軸受体の正面と、前記正面を挟む両側面と、前記両側面に挟まれ前記第１軸，前記第２軸の両端側となる上下端面と、を覆う略箱状に形成されることを特徴とする二軸蝶番の構造。
【請求項３】
請求項１または請求項２記載の二軸蝶番の構造であって、
前記軸受体には、前記対向面と反対の外側面に係合凹部が形成され、
該係合凹部に係合する爪片が前記上側覆い部及び前記下側覆い部に突設されることを特徴とする二軸蝶番の構造。
【発明の詳細な説明】
【技術分野】
【０００１】
本発明は、防音扉や止水扉などに用いられる二軸蝶番の構造に関する。
【背景技術】
【０００２】
扉を扉枠に対して平行に接近移動させることで、扉を扉枠に密着させ、防音性能や止水性能を高めることのできる二軸蝶番が知られている（特許文献１、２、３、４等参照）。二軸蝶番の構造は、一般的に、扉枠に閉止された状態の扉と、扉枠とに横架される連結杆を有する。扉枠側における連結杆には、上下に貫通する第１軸が設けられる。扉側における連結杆には、上下に貫通する第２軸が設けられる。第１軸の上下、第２軸の上下は、それぞれ一対ずつ、合計二対の軸受体によって扉、扉枠に回転自在に支持される。それぞれの軸受体は、扉面に垂直方向から貫通するボルト等の締結部材によって、扉と扉枠のそれぞれに螺着される。
【先行技術文献】
【特許文献】
【０００３】
【特許文献１】特開平７−２７９５５０号公報
【特許文献２】特開２０００−１９２７１６号公報
【特許文献３】実用新案登録第３１０５０５８号公報
【特許文献４】特開２００５−１８８２６８号公報
【発明の概要】
【発明が解決しようとする課題】
【０００４】
ところで、防音扉や止水扉は、一般的に重量が大きい。これら大重量の扉を扉枠に取り付ける吊元となる蝶番は、扉を閉め扉枠内に納まった状態で扉面の正面からボルト等の締結部材で固定するのが一般的となる。このため、通常の扉の取付構造のように締結部材が吊元側扉木口面と対向扉枠面との間で隠れることがない。
このように、従来の二軸蝶番の構造は、軸受体を、扉や扉枠に螺着する締結部材が、扉面に垂直方向から軸受体を貫通し、ボルト頭部が軸受体の正面に表出したままとなる。このため、交換やメンテナンス等は行い易いものの締結解除が容易となることから防犯性に問題があった。また、締結部材が表出したままでは火災時の火炎に直接曝されることとなり、耐火性を得にくく、防火設備として使用できない問題があった。これに対し、ボルト頭部が表出する軸受体の正面に、金属板を溶接固定すれば、締結部材は覆えるが、交換が容易にできなくなる。
【０００５】
本発明は上記状況に鑑みてなされたもので、その目的は、防犯性、耐火性を向上させることができる二軸蝶番の構造を提供することにある。
【課題を解決するための手段】
【０００６】
次に、上記の課題を解決するための手段を、実施の形態に対応する図面を参照して説明する。
本発明の請求項１記載の二軸蝶番の構造は、扉１１と扉枠１５とに横架される連結杆２９と、
前記扉枠１５側における前記連結杆２９を上下に貫通する第１軸３１と、
前記扉１１側における前記連結杆２９を上下に貫通する第２軸３３と、
前記第１軸３１と前記第２軸３３のそれぞれの上下を、前記扉枠１５と前記扉１１のそれぞれに回転自在に支持するブロック状の二対の軸受体３５と、
扉面に垂直方向から前記軸受体３５を貫通して前記扉１１と前記扉枠１５の閉扉時において隣り合う各取付面１６，１２に前記軸受体３５を螺着する締結部材３７と、
各軸３１，３３ごとにおける上下一対の前記軸受体３５の正面４１に露出する前記締結部材３７を覆う上側覆い部５５及び下側覆い部５７を有するとともに、該上側覆い部５５及び下側覆い部５７が前記連結杆２９の裏側に位置する接続板５９で接続された金属製のカバー４３と、
閉扉時における前記扉１１側の前記軸受体３５と前記扉枠１５側の前記軸受体３５との対向面３６に対し、前記扉枠１５側の前記カバー４３と扉１１側の前記カバー４３の閉扉時対向面５１から螺合して、前記カバー４３を前記軸受体３５に螺着する取付部材５３と、
を具備することを特徴とする。
【０００７】
この二軸蝶番の構造では、軸受体３５に被せられた扉枠１５側のカバー４３と、扉１１側のカバー４３は、それぞれの閉扉時対向面５１から挿通して螺合されるネジなどの取付部材５３によって軸受体３５に螺着固定される。なお、閉扉時対向面５１からの取付部材５３の螺合は、開扉状態においてのみ可能となる。取付部材５３は、閉扉状態において、平行となって対向する扉枠１５側のカバー４３における閉扉時対向面５１と、扉１１側のカバー４３における閉扉時対向面５１とに表出し、すなわち互いが見えない位置となる。カバー４３が取り付けられることで、軸受体３５の正面４１が覆われ、締結部材３７が表出しなくなる。カバー４３は、開扉状態において、開いて表出する閉扉時対向面５１の取付部材５３を螺合解除することで、軸受体３５から容易に脱着可能となる。
【０００８】
本発明の請求項２記載の二軸蝶番の構造は、請求項１記載の二軸蝶番の構造であって、
前記上側覆い部５５及び前記下側覆い部５７が、前記軸受体３５の正面４１と、前記正面４１を挟む両側面６１と、前記両側面６１に挟まれ前記第１軸３１，前記第２軸３３の両端側となる上下端面６３と、を覆う略箱状に形成されることを特徴とする。
【０００９】
この二軸蝶番の構造では、直方体や立方体等のブロック状からなる軸受体３５は、一つの面が、扉１１や扉枠１５の各取付面１２，１６に対向し固定される。また、他の一つの面に連結杆２９が配置される。残りの面、すなわち、正面４１、両側面６１、端面６３が略箱状に形成される上側覆い部５５または下側覆い部５７によって覆われ、軸受体３５の殆どが表出しなくなる。
【００１０】
本発明の請求項３記載の二軸蝶番の構造は、請求項１または請求項２記載の二軸蝶番の構造であって、
前記軸受体７１には、前記対向面９３と反対の外側面９５に係合凹部９７が形成され、
該係合凹部９７に係合する爪片９９が前記上側覆い部１０１及び前記下側覆い部１０３に突設されることを特徴とする。
【００１１】
この二軸蝶番の構造では、上側覆い部１０１及び下側覆い部１０３の正面を挟んで閉扉時対向面１０５と反対側となる爪片形成面１０７が、爪片９９によって係合凹部９７に係合する。これにより、カバー１０９は、開口側両端が取付ネジ５３と爪片９９とによって軸受体７１に固定され、この軸受体７１からより外れ難くなる。
【発明の効果】
【００１２】
本発明に係る請求項１記載の二軸蝶番の構造によれば、扉及び扉枠に固定される軸受体がカバーによって覆われることで、防犯性、耐火性を向上させることができる。このことから、防火設備を構成する扉にこの二軸蝶番を用いることが可能となる。また、カバーを取り付ける取付部材の位置を閉扉時対向面としたことで、閉扉時ではこの取付部材が表出せず、且つ取付部材に対して触れることを困難な状態としたので、悪戯などでカバーを取り外される虞がない。さらに、取付部材によるカバーの脱着を容易なものとしたことから、二軸蝶番の交換やメンテナンスも可能なる効果を得られる。
【００１３】
本発明に係る請求項２記載の二軸蝶番の構造によれば、軸受体の表出面の殆どが覆われるので、防犯性、耐火性をより高めることができる。
【００１４】
本発明に係る請求項３記載の二軸蝶番の構造によれば、係合凹部と爪片とで取付作業時にカバーを仮止めさせることなどでき、施工を容易にできるとともに、上側覆い部及び下側覆い部の外側面を捲れにくくできる。
【図面の簡単な説明】
【００１５】
【図１】本発明の第１実施形態に係る二軸蝶番の構造を備えた扉を屋外側から見た正面図である。
【図２】図１に示した扉の二軸蝶番部分の平断面図である。
【図３】図２に示した二軸蝶番の斜視図である。
【図４】図３に示した二軸蝶番の平断面図である。
【図５】カバー、取付ネジが外された二軸蝶番の分解斜視図である。
【図６】カバー取付時の一部分を切り欠いた斜視図である。
【図７】カバー取付時の平断面図である。
【図８】軸受体板状固定部を有する二軸蝶番が用いられる第２実施形態に係る二軸蝶番の構造の斜視図である。
【図９】図８に示した二軸蝶番の構造の分解斜視図である。
【図１０】爪片付カバーが用いられる第３実施形態に係る二軸蝶番の平断面図である。
【発明を実施するための形態】
【００１６】
以下、本発明に係る実施形態を図面を参照して説明する。
図１は本発明の第１実施形態に係る二軸蝶番の構造を備えた扉を屋外側から見た正面図、図２は図１に示した扉の二軸蝶番部分の平断面図、図３は図２に示した二軸蝶番の斜視図、図４は図３に示した二軸蝶番の平断面図、図５はカバー、取付ネジが外された二軸蝶番の分解斜視図、図６はカバー取付時の一部分を切り欠いた斜視図、図７はカバー取付時の平断面図である。
二軸蝶番の構造は、例えば防音扉や止水扉等の図１に示す扉１１に好適に用いられる。このため、扉１１は、一般的に重量の大きいものとなり、この扉１１を開閉自在に吊元を支持するため、または気密、断熱、水密などの密閉性を高めるために二軸蝶番が用いられる。
【００１７】
建物躯体１３の開口部に取り付けられた扉枠１５には、扉１１が二軸蝶番１７を介して開閉自在に取り付けられる。扉１１は、通常のレバーハンドル１９に加え、例えば複数のグレモンハンドル２１によっても扉枠１５に締め付けられる。図２に示すように、グレモンハンドル２１には押圧杆２３が回転半径方向外側に突設される。一方、扉枠１５には斜面を有するグレモンハンドル受２５が固定される。レバーハンドル１９の回転とともに回転する押圧杆２３は、グレモンハンドル受２５の傾斜面（図示略）を徐々に押圧する。扉１１は、グレモンハンドル受２５から受ける反力によって閉扉方向に引き寄せられ、パッキン２７を圧縮変形させて扉枠１５に密着する。なお、図２は引き寄せ前の状態を表す。
【００１８】
扉枠１５に閉止された状態の扉１１と扉枠１５とには、二軸蝶番１７の連結杆２９が横架される。扉枠１５側における連結杆２９には、上下に第１軸３１が貫通する。扉１１側における連結杆２９には、上下に第２軸３３が貫通する。第１軸３１，第２軸３３のそれぞれの上下は、例えば六面体からなるブロック状の二対の軸受体３５によって、扉枠１５，扉１１のそれぞれに回転自在に支持される。
【００１９】
軸受体３５は、扉面に垂直方向から軸受体３５を貫通して、扉１１と扉枠１５の閉扉時において隣り合う各取付面１６，１２に螺合する締結部材によって螺着される。締結部材としては、例えば六角穴付ボルト３７（図５参照）が好適に用いられる。一つの軸受体３５は、本実施形態では上下２本の六角穴付ボルト３７によって固定される。六角穴付ボルト３７を用いることで、軸受体３５の固定穴３９（図５参照）の中で締結でき、締結部材である六角穴付ボルト３７を軸受体３５の正面４１から突出しないようにできる。
【００２０】
これら軸受体３５は、図３に示す扉枠１５側のカバー４３と扉１１側のカバー４３によって覆われる。カバー４３は、耐熱温度が高く、強度の大きい金属により形成される。なお、図３中に示す調整ボルト４５は、連結杆２９を貫通し、連結杆２９の表面からの回転量で連結杆２９裏面の突出先端の突出量を調整できるもので、扉１１に対して複数設けられる二軸蝶番１７によって、扉枠１５に対する扉１１の嵌め合い状態を、その突出量で調整できるものであり、また、連結杆２９の裏側に取り付けられる当接ゴム４７の、扉面に当接する際の変形率を調整する際に使用される。当接ゴム４７は、当接ゴム固定ボルト４９により連結杆２９の裏側に固定される。当接ゴム４７は、当接ゴム固定ボルト４９がスパナなどの工具によって螺合解除され、連結杆２９から取り外し可能となる。
【００２１】
図４に示すように、扉枠１５側のカバー４３と扉１１側のカバー４３は、軸受体３５の対向面３６にカバー４３の閉扉時対向面５１から螺合して、カバー４３を軸受体３５に螺着する取付部材としての取付ネジ５３によって固定されている。
【００２２】
図５に示すように、カバー４３は、上側覆い部５５と、下側覆い部５７とを有する。上側覆い部５５及び下側覆い部５７は、上下一対の軸受体３５の正面４１に露出する締結部材３７を覆う。上側覆い部５５及び下側覆い部５７は、連結杆２９の裏側に位置する接続板５９で接続される。本実施形態において、上側覆い部５５及び下側覆い部５７は、図６に示す軸受体３５の正面４１と、正面４１を挟む両側面６１、両側面６１に挟まれ第１軸３１，第２軸３３の両端側となる上下端面６３と、を覆う略箱状に形成される。
【００２３】
なお、上側覆い部５５及び下側覆い部５７は、軸受体３５の扉面からの高さによっては、取り付けられない場合がある。この場合には、開口側の裾部６５を高い位置（扉面から浮上する位置）とするように形成してもよい。つまり、上側覆い部５５及び下側覆い部５７は、少なくとも軸受体３５の正面側エッジ部６７（図６参照）が覆える形状であればよい。さらに、上側覆い部５５及び下側覆い部５７は、軸受体３５の正面４１のみを覆う略平板状であってもよい。
【００２４】
次に、上記構成を有する二軸蝶番の構造の作用を説明する。
二軸蝶番の構造では、第１軸３１の上下が上下一対の軸受体３５によって扉枠１５の取付面１６に固定される。第２軸３３の上下が上下一対の軸受体３５によって扉１１の取付面１２に固定される。これら第１軸３１，第２軸３３の中央部同士は、連結杆２９によって回転自在に連結される。つまり、扉１１は、連結杆２９を介して第１軸３１を中心に扉枠１５に対して回転されるとともに、第２軸３３を中心に連結杆２９に対しても回転される。これにより、扉１１は、扉枠１５に対して平行に接近移動し、扉枠１５に密着可能となる。
【００２５】
第１軸３１の上下を支持する上下一対の軸受体３５と、第２軸３３の上下を支持する上下一対の軸受体３５は、それぞれが図６に示すカバー４３によって覆われる。カバー４３は、上下一対の軸受体３５のそれぞれを覆う上側覆い部５５と下側覆い部５７を有する。これら上側覆い部５５と下側覆い部５７は、接続板５９によって接続される。接続板５９は、連結杆２９の裏側に位置する部分となる。つまり、カバー４３は、連結杆２９の裏側を潜る接続板５９によって上側覆い部５５と下側覆い部５７が接続されて一体となる。
【００２６】
カバー４３は、取付時、図７に示す開扉状態において、連結杆２９の裏側から、上側覆い部５５と下側覆い部５７とで連結杆２９を挟むようにして表側へ移動させる。この際、連結杆２９の裏側に固定された当接ゴム４７は、外された状態とする。当接ゴム４７が外されることで、扉１１は、開放角度が大きくなる。これにより、ドライバ６９等の工具の使用が容易となる。
【００２７】
カバー４３は、表側へ移動させた上側覆い部５５と下側覆い部５７を軸受体３５の正面側から被せる。扉枠１５側のカバー４３と、扉１１側のカバー４３とでは、接続板５９の位置が左右対称位置となるが、上側覆い部５５と下側覆い部５７を表側へ移動させた後に軸受体３５の正面側から被せる取付手順は同じである。
なお、扉枠１５側のカバー４３と、扉１１側のカバー４３とは、同一のものを上下反転して使用できる。
【００２８】
軸受体３５に被せられた扉枠１５側のカバー４３と、扉１１側のカバー４３は、それぞれの閉扉時対向面５１から挿通して螺合される取付ネジ５３によって軸受体３５に螺着される。なお、閉扉時対向面５１からの取付ネジ５３の螺合は、開扉状態においてのみ可能となる。取付ネジ５３は、図４に示す閉扉状態において、平行となって対向する扉枠１５側の閉扉時対向面５１と、扉１１側の閉扉時対向面５１とに挟まれて隠れることとなる。
カバー４３が取り付けられることで、軸受体３５の正面４１が覆われ、締結部材３７が表出しなくなる。カバー４３は、開扉状態において、開いて表出する閉扉時対向面５１の取付ネジ５３を螺合解除することで、軸受体３５から容易に脱着可能となる。
【００２９】
また、二軸蝶番の構造では、直方体や立方体等のブロック状からなる軸受体３５は、一つの面が、扉１１や扉枠１５に対向し固定される。また、他の一つの面が、連結杆２９が位置することで覆われる。残りの面、すなわち、正面４１、両側面６１、上端面６３または下端面６３が略箱状に形成される上側覆い部５５または下側覆い部５７によって覆われ、軸受体３５の殆どが表出しなくなる。
その結果、軸受体３５の表出面の殆どが覆われるので、防犯性、耐火性をより高めることができる。
【００３０】
次に、本発明に係る二軸蝶番の構造の第２実施形態を説明する。
図８は軸受体板状固定部７１を有する二軸蝶番７３が用いられる第２実施形態に係る二軸蝶番の構造の斜視図、図９は図８に示した二軸蝶番の構造の分解斜視図である。なお、以下の各実施形態において、図１〜図７に示した部材と同一の部材には同一の符号を付し重複する説明は省略する。
第２実施形態に係る二軸蝶番の構造は、二軸蝶番７３の軸受体７５が、軸受体板状固定部７１と、軸受部７７と、を有する。軸受体板状固定部７１は、上下に長い矩形状に形成される。軸受体板状固定部７１は、上側と下側のそれぞれが４本の締結部材である六角ボルト７９によって扉枠１５、扉１１の各取付面１６，１２に固定される。軸受部７７は、上下に離間して配置され、軸受体板状固定部７１に固定される。軸受部７７は、軸受体板状固定部７１と一体に形成されてもよい。上下に離間した軸受部７７は、第１軸３１，第２軸３３のそれぞれの上下端を回転自在に支持する。第１軸３１と第２軸３３の中央部同士は、連結杆８１によって回転自在に連結される。
【００３１】
このような厚みの薄い軸受体板状固定部７１を覆うカバー８３は、上側覆い部８５及び下側覆い部８７が、同様に厚みが薄く形成される。上側覆い部８５及び下側覆い部８７は、接続板８９によって接続される。取付ネジ５３は、軸受体板状固定部７１の対向面にカバー８３の閉扉時対向面５１から螺合されることになる。
この第２実施形態に係る二軸蝶番の構造によれば、六角ボルト７９の頭部９１が突出する場合であっても、頭部９１を確実に覆うことができ、防犯性、防火性を得られるとともに、見栄えもよくすることができる。
【００３２】
次に、本発明に係る二軸蝶番の構造の第３実施形態を説明する。
図１０は爪片付カバーが用いられる第３実施形態に係る二軸蝶番の平断面図である。
第３実施形態に係る二軸蝶番の構造は、軸受体である軸受体板状固定部７１には、取付ネジ５３の対向面である螺合面９３と反対の位置となる外側面９５に溝状の係合凹部９７が形成される。そして、カバー１０９の上側覆い部１０１及び下側覆い部１０３に、この係合凹部９７に係合する爪片９９が突設される。
【００３３】
この第３実施形態に係る二軸蝶番の構造によれば、上側覆い部１０１及び下側覆い部１０３の正面を挟んで閉扉時対向面１０５と反対側となる爪片形成面１０７が、爪片９９によって係合凹部９７に係合する。これにより、カバー１０９は、開口側両端が取付ネジ５３と爪片９９とによって軸受体である軸受体板状固定部７１に固定され、軸受体からより外れ難くなる。その結果、取付施工を容易にできるとともに、上側覆い部１０１及び下側覆い部１０３の爪片形成面１０７を捲れにくくできる。
【符号の説明】
【００３４】
１１…扉
１２…取付面
１５…扉枠
１６…取付面
１７，７３…二軸蝶番
２９，８１…連結杆
３１…第１軸
３３…第２軸
３５，７５…軸受体
３６…対向面
３７，７９…締結部材（六角穴付ボルト）
４１…正面
４３，８３，１０９…カバー
５１，１０５…閉扉時対向面
５３…取付部材（取付ネジ）
５５，１０１…上側覆い部
５７，１０３…下側覆い部
５９…接続板
６１…両側面
６３…端面
９３…対向面（螺合面）
９５…外側面
９７…係合凹部
９９…爪片
【図１】
2015025274.tif 000003
【図２】
2015025274.tif 000004
【図３】
2015025274.tif 000005
【図４】
2015025274.tif 000006
【図５】
2015025274.tif 000007
【図６】
2015025274.tif 000008
【図７】
2015025274.tif 000009
【図８】
2015025274.tif 000010
【図９】
2015025274.tif 000011
【図１０】
2015025274.tif 000012